(57)【要約】  積層された紙幣の最上位の紙幣が癖のある紙幣であったとしても後続の紙幣を安定的に収納させることができる紙葉類集積装置を提供する。  紙葉類収納庫の上部の両端に設置されたローラに搬送ベルト（２４）を掛け渡し、その搬送ベルト（２４）の外周面には紙幣（２０）を保持する紙幣保持部材（２５）が所定間隔を置いて固定されている。紙幣保持部材（２５）は、それ自身が搬送ベルト（２４）を内側に撓ませるグリップ力を有し、そのグリップ力で紙幣（２０）を保持する。紙幣保持部材（２５）は、受け取り側のローラを通過するとき、その自由端（２５ｃ）が搬送ベルト（２４）から離れて紙幣（２０）を受け入れ、ローラ間を通過するとき、紙幣（２０）の先端近傍をグリップし、開放側のローラを通過するとき、その自由端（２５ｃ）が搬送ベルト（２４）から離れて紙幣（２０）を開放し、積層紙幣の上に落下させ、集積収納する。
2013076787.tif 000002
【特許請求の範囲】
【請求項１】
搬送されてきた紙葉類を搬入して積層状態で収納する紙葉類集積装置において、
前記紙葉類を一枚ずつ受け取って収納する紙葉類収納庫と、
前記紙葉類収納庫の上部にて前記紙葉類を受け取る側に設置された第１ローラおよび前記紙葉類を開放する側に設置された第２ローラに掛け渡された無端状の搬送ベルトと、
一端が前記搬送ベルトの外周面に固定され、前記一端が固定された位置よりも搬送方向下流側にて他端が前記搬送ベルトの側に付勢される紙葉類保持部材と、
を備えていることを特徴とする紙葉類集積装置。
【請求項２】
前記紙葉類保持部材は、前記搬送ベルトの搬送方向に所定の間隔を置いて互いに重ならないように配置され、前記他端と前記搬送ベルトとにより前記紙葉類を保持するようにしたことを特徴とする請求の範囲第１項記載の紙葉類集積装置。
【請求項３】
前記紙葉類保持部材は、前記一端を平面状にした前記搬送ベルトに固定したときに他端が前記搬送ベルトの前記平面を超えて位置するような形状に形成された弾性体であり、前記弾性体が前記搬送ベルトにより撓むことによって前記紙葉類を保持するようにしたことを特徴とする請求の範囲第２項記載の紙葉類集積装置。
【請求項４】
前記紙葉類保持部材は、前記搬送ベルトに固定される側が硬質材料で形成された第１部材と、前記第１部材の自由端に取り付けられる第２部材と、前記第２部材を前記搬送ベルトの側へ傾動するように付勢する弾性体とを有し、前記第２部材が前記弾性体の付勢力によって前記紙葉類を保持するようにしたことを特徴とする請求の範囲第２項記載の紙葉類集積装置。
【請求項５】
前記弾性体は、前記第１部材に前記第２部材を回動自在に取り付けた軸に設けられたコイルばねであることを特徴とする請求の範囲第４項記載の紙葉類集積装置。
【請求項６】
前記弾性体は、両端が前記第１部材および前記第２部材に固定された板ばねであることを特徴とする請求の範囲第４項記載の紙葉類集積装置。
【請求項７】
前記紙葉類保持部材は、前記搬送ベルトの面に略平行に延びていて前記搬送ベルトに固定される前記一端を支点に揺動可能な揺動部材と、前記揺動部材の自由端に取り付けられた第１磁気吸着部材とを有し、前記第１磁気吸着部材と前記搬送ベルトの内側の下部搬送域に設置された第２磁気吸着部材との間に生じる吸引力によって前記紙葉類を保持するようにしたことを特徴とする請求の範囲第２項記載の紙葉類集積装置。
【請求項８】
前記第１磁気吸着部材および前記第２磁気吸着部材は、一方が磁石であり、他方が磁石または磁性体であることを特徴とする請求の範囲第７項記載の紙葉類集積装置。
【請求項９】
前記紙葉類保持部材は、前記搬送ベルトの搬送方向に所定の間隔を置いて互いに部分的に重なるように配置され、前記他端と搬送方向上流側に隣接する別の紙葉類保持部材とにより前記紙葉類を保持するようにしたことを特徴とする請求の範囲第１項記載の紙葉類集積装置。
【請求項１０】
前記紙葉類保持部材は、前記一端を平面状にした前記搬送ベルトに固定したときに他端が搬送方向下流側に隣接する前記紙葉類保持部材の前記紙葉類収納庫側の面よりも前記搬送ベルトの側に位置するような形状に形成された弾性体であり、前記他端が隣接する前記紙葉類保持部材に乗り上げて前記弾性体が撓むことにより前記紙葉類を保持するようにしたことを特徴とする請求の範囲第９項記載の紙葉類集積装置。
【請求項１１】
前記紙葉類保持部材は、前記搬送ベルトに固定される側が硬質材料で形成された第１部材と、前記第１部材の自由端に取り付けられる第２部材と、前記第２部材を前記搬送ベルトの側へ傾動するように付勢する弾性体とを有し、搬送方向下流側に隣接する前記紙葉類保持部材の前記第１部材に乗り上げる前記第２部材が前記弾性体の付勢力により前記紙葉類を保持するようにしたことを特徴とする請求の範囲第９項記載の紙葉類集積装置。
【請求項１２】
前記弾性体は、前記第１部材に前記第２部材を回動自在に取り付けた軸に設けられたコイルばねであることを特徴とする請求の範囲第１１項記載の紙葉類集積装置。
【請求項１３】
前記弾性体は、両端が前記第１部材および前記第２部材に固定された板ばねであることを特徴とする請求の範囲第１１項記載の紙葉類集積装置。
【請求項１４】
前記搬送ベルトの前記紙葉類保持部材を固定する面に突設されたリブと、前記紙葉類保持部材の前記一端の側に前記リブと同じ断面形状に形成された嵌合溝とを嵌合させることで前記搬送ベルトと前記紙葉類保持部材とを固定するようにしたことを特徴とする請求の範囲第２項または第９項記載の紙葉類集積装置。
【請求項１５】
前記紙葉類保持部材は、前記搬送ベルトの搬送方向に所定の間隔を置いて互いに部分的に重なる位置に配置されるが、前記搬送ベルトの外周面に固定される一端には切欠き部が形成され、搬送方向上流側に隣接する前記紙葉類保持部材の前記他端が前記切欠き部に嵌り込むような状態に配置されていることを特徴とする請求の範囲第１項記載の紙葉類集積装置。
【発明の詳細な説明】
【技術分野】
【０００１】
本発明は紙葉類集積装置に関し、特に一枚ずつ搬送されてきた紙幣等の紙の媒体を積み重ねていって束の状態に集積するときに安定的に積層することを可能にした紙葉類集積装置に関する。
【背景技術】
【０００２】
金融機関の店舗等に設置されているたとえばＡＴＭ（Automatic Teller Machine：現金自動預け払い機）、自動取引装置等では、一枚ずつ搬送されてきた紙幣を積み重ねて積層状態で収納する紙葉類集積装置が備えられている。紙葉類集積装置は、収納庫に積層される紙幣の面と平行な方向に紙幣が搬入され、その紙幣の先端が積層されている紙幣の上面を滑り込むようにして収納庫内に導入されることで紙幣を集積している。【０００３】
収納庫に搬送されてくる紙幣は、一般に市場を流通している間に様々な癖が付けられている。たとえば、紙幣を折りたたむことによって折れ線が付けられ、折り財布に入れられることによってカールが付けられ、ズボンのポケットに入れられることによってしわが付けられる。このような癖の付いた、たとえばカールした状態の紙幣が積層紙幣の最上面にあると、搬送されてきた紙幣の先端がカールした紙幣の後端に追突してしまい、紙幣の不整列が生じてしまうことになる。この集積紙幣との干渉は、特に、長手方向に搬送した紙幣を長手方向に導入して収納するような紙葉類集積装置に発生し易い。【０００４】
このような集積紙幣との干渉を避けるようにした提案が幾つか知られている。たとえば、押さえレバーが集積された紙幣の後端近傍を押し下げることで、紙幣の搬入方向の通路を確保するようにしたものがある（たとえば、特許文献１参照）。この特許文献１によれば、押さえレバーは、紙幣を収納庫に送り込む搬送ローラの上流側に一端が回動自在に支持され、自由端が収納庫内の積層紙幣の上面に当接するように設けられている。これにより、搬送されてきた紙幣は、押さえレバーの自由端と最上部の紙幣との間に差し込まれるようになり、さらに押さえレバーの自由端を持ち上げながら最上部の紙幣の上面を摺動していき、最上部の紙幣の上面に集積される。【０００５】
また、収納庫に導入された直後の紙幣の後端を羽根車で下方へ押し込むことで、紙幣の搬入方向の通路を確保するようにしたものがある（たとえば、特許文献２参照）。この特許文献２によれば、紙幣を収納庫に搬入する搬送ローラと同軸に配置された羽根車を備え、羽根車が収納庫に搬入された直後の紙幣の後端部を下方へ押し込むことによって後続の紙幣先端との干渉を防止している。この羽根車は、また、押さえレバーを併用している場合においても、押さえレバーで押さえ切れなかった紙幣の後端のばたつきを有効に防止することも可能である。
【先行技術文献】
【特許文献】
【０００６】
【特許文献１】特開２０１０−９５３６５号公報
【特許文献２】特開２００３−１６４９９号公報
【発明の概要】
【発明が解決しようとする課題】
【０００７】
しかしながら、押さえレバーまたは羽根車を用いて導入された紙幣の後端を下方へ押さえたり押し込んだりしても、押さえレバーまたは羽根車の作用が及ぶ範囲よりも先端側に癖がある場合、依然として最上位の紙幣と後続の紙幣との干渉の可能性があるという問題点があった。【０００８】
本発明はこのような点に鑑みてなされたものであり、積層された紙幣の最上位の紙幣が癖のある紙幣であったとしても後続の紙幣が安定的に収納させることができる紙葉類集積装置を提供することを目的とする。
【課題を解決するための手段】
【０００９】
本発明では、上記の課題を解決するために、搬送されてきた紙葉類を搬入して積層状態で収納する紙葉類集積装置において、前記紙葉類を一枚ずつ受け取って収納する紙葉類収納庫と、前記紙葉類収納庫の上部にて前記紙葉類を受け取る側に設置された第１ローラおよび前記紙葉類を開放する側に設置された第２ローラに掛け渡された無端状の搬送ベルトと、一端が前記搬送ベルトの外周面に固定され、前記一端が固定された位置よりも搬送方向下流側にて他端が前記搬送ベルトの側に付勢される紙葉類保持部材と、を備えていることを特徴とする紙葉類集積装置が提供される。【００１０】
このような紙葉類集積装置によれば、搬送ベルト上の紙葉類保持部材は、第１ローラを通過するとき、その先端部が搬送ベルトから離れて紙葉類の先端を受け入れ、第１ローラと第２ローラとの間を通過するとき、グリップ力で紙葉類を保持し、第２ローラを通過するとき、その先端部が搬送ベルトから離れて紙葉類を開放し、積層された紙葉類の上に落下させ、集積収納する。これにより、紙葉類は、その後端から押されて紙葉類収納庫へ押し込まれるのではなく、紙葉類の先端を引き込んで収納するので、集積された最上位の紙葉類が癖のあるものでも、安定的に収納させることができる。
【発明の効果】
【００１１】
上記構成の紙葉類集積装置は、搬送されてきた紙葉類の先端を紙葉類保持部材のグリップ力で保持しながら引き込み、受け取り側とは反対側でグリップ力を開放することで、積層済みの紙葉類の上に落下させるので安定的に収納できるという利点がある。【００１２】
また、この紙葉類集積装置は、紙葉類の先端をグリップして引き込むので、紙葉類の剛性を利用して押し込む場合よりも長い距離を搬送できることから、長方形の紙葉類を長手方向に導入して収納する装置に適している。【００１３】
本発明の上記および他の目的、特徴および利点は本発明の例として好ましい実施の形態を表す添付の図面と関連した以下の説明により明らかになるであろう。
【図面の簡単な説明】
【００１４】
【図１】本発明の実施の形態に係る紙葉類集積装置が適用されるＡＴＭの外観を示す斜視図である。
【図２】ＡＴＭの紙幣処理部に関する内部構成の例を示す図である。
【図３】第１の実施の形態に係る紙葉類集積装置の概略構成を示す側面図である。
【図４】第１の実施の形態に係る紙葉類集積装置の概略構成を示す斜視図である。
【図５】第１の実施の形態に係る紙葉類集積装置の搬送ベルトと紙幣保持部材との関係を説明する図であって、（Ａ）は搬送ベルトに取り付ける前の紙幣保持部材の形状を説明する図、（Ｂ）は動作時における紙幣保持部材の状態を示す図である。
【図６】搬送ベルトに紙幣保持部材を取り付けた状態を紙葉類収納庫の側から見た図であって、（Ａ）は紙葉類保持部材の形状の一例を示し、（Ｂ）は紙葉類保持部材の形状の別の例を示している。
【図７】第１の実施の形態に係る紙葉類集積装置の搬送ベルトと紙幣保持部材との別の関係を説明する図であって、（Ａ）は搬送ベルトに取り付ける前の紙幣保持部材の形状を説明する図、（Ｂ）は動作時における紙幣保持部材の状態を示す図である。
【図８】搬送ベルトと紙幣保持部材との結合例を示す部分断面図である。
【図９】紙幣を開放する側の紙幣保持部材による紙幣の整列状態を説明する図である。
【図１０】第２の実施の形態に係る紙葉類集積装置の紙幣保持部材を示す図であって、（Ａ）は搬送ベルトに重ならないように配置される場合の紙幣保持部材を示す図、（Ｂ）は搬送ベルトに重なるように配置される場合の紙幣保持部材を示す図である。
【図１１】第２の実施の形態に係る紙葉類集積装置の紙幣保持部材の変形例を示す図であって、（Ａ）は搬送ベルトに重ならないように配置される場合の紙幣保持部材を示す図、（Ｂ）は搬送ベルトに重なるように配置される場合の紙幣保持部材を示す図である。
【図１２】第３の実施の形態に係る紙葉類集積装置の紙幣保持部材を示す図である。
【発明を実施するための形態】
【００１５】
以下、本発明の実施の形態について、紙幣を長手方向に搬送して収納するような機構を備えたＡＴＭに適用した場合を例に図面を参照して詳細に説明する。
図１は本発明の実施の形態に係る紙葉類集積装置が適用されるＡＴＭの外観を示す斜視図、図２はＡＴＭの紙幣処理部に関する内部構成の例を示す図である。
【００１６】
ＡＴＭは、図１に示したように、その正面に、顧客操作部１、紙幣投入取出部２、硬貨投入取出部３、カード挿入取出部４および通帳挿入取出部５を備えている。顧客操作部１は、現金取引に関する入力または指示の操作を行うもので、液晶パネルのような表示部とタッチパッドのような位置入力部とを有していて画面上をタッチすることで機器を操作するものである。紙幣投入取出部２は、入金等の取引のときに紙幣を受け入れ、出金等の取引のときには、払い出された紙幣を放出する構成を有している。硬貨投入取出部３は、入金等の取引のときに硬貨を受け入れ、入金や送金の取引のときに釣銭として払い出された硬貨を放出する構成を有している。カード挿入取出部４は、ＡＴＭを操作するときの本人確認に使用されるキャッシュカード、振込操作を行うときに使用される振込カード等を取り扱う部分である。通帳挿入取出部５は、通帳を受け入れて取引内容を記帳することができる部分である。
【００１７】
このようなＡＴＭは、図２に示したように、紙幣を処理する部分を備えている。ＡＴＭは、紙幣の入金および出金を行う紙幣投入取出部２と、紙幣の金種や真贋を判別する鑑別部６と、たとえば取引が成立するまで鑑別した入金紙幣を保留しておく一時保留部７とを備えている。ＡＴＭは、また、再使用に適さないと鑑別された不良紙幣を収納するリジェクト部８と、紙幣を収納する収納庫９，１０，１１，１２，１３とを備えている。収納庫９，１０，１１は、主として入出金時に取り扱われる紙幣を収納するのに使用される。一方、収納庫１２，１３は、収納庫９，１０，１１の紙幣が不足してきたときに補充する紙幣を収納し、収納庫９，１０，１１が満杯になったときの入金紙幣を収納するのに使用される。
【００１８】
ここで、本発明による紙葉類集積装置は、紙幣を束状に集積しておく部位に適用することができる。たとえば、紙幣投入取出部２に隣接配置され、出金時に収納庫９，１０，１１から一枚ずつ繰り出された紙幣を順次受け取って集積し、紙幣投入取出部２へは束状態で渡すような部位に適用される。もちろん、一時保留部７、リジェクト部８、および収納庫９，１０，１１，１２，１３にも、同様に適用することができる。
【００１９】
図３は第１の実施の形態に係る紙葉類集積装置の概略構成を示す側面図、図４は第１の実施の形態に係る紙葉類集積装置の概略構成を示す斜視図である。
第１の実施の形態に係る紙葉類集積装置は、一枚ずつ搬送されてきた紙幣２０を積層状態で収納する紙葉類収納庫２１を備え、その上部には、紙幣２０を受け取る側にローラ２２が、その対向端である紙幣２０を開放する側にはローラ２３がそれぞれ設置されている。これらローラ２２，２３には、無端状の搬送ベルト２４が掛け渡されていて、その搬送ベルト２４の外周面には、搬送されてきた紙幣２０の先端を保持する紙幣保持部材２５が固定されている。紙幣保持部材２５は、図３および図４に示した例では、搬送ベルト２４の外周面において、搬送方向に所定の間隔を置いて部分的に互いに重なったような状態で複数個設けられている。しかし、紙幣保持部材２５は、搬送方向に互いに重なることなく離間した状態で搬送ベルト２４に固定されていてもよい。なお、紙幣保持部材２５が重なっていない場合には、図３および図４は、搬送ベルト２４が動作しているときの紙幣保持部材２５の動きを表現しているものとして参照することができる。
【００２０】
また、紙幣２０を受け取る側には、紙葉類集積装置に隣接して一対の搬送ローラ２６，２７が設置されており、一枚ずつ長手方向に搬送されてきた紙幣２０を紙葉類集積装置に受け渡す役目をしている。なお、受け渡された紙幣２０は、その先端が紙葉類集積装置では紙幣保持部材２５により保持された状態で搬送されていくので、搬送ベルト２４の搬送速度は、搬送ローラ２６，２７による紙幣２０の搬送速度に等しいか若干低速に設定されている。
【００２１】
搬送ローラ２６，２７によって供給された紙幣２０は、その先端がローラ２２の側にて搬送ベルト２４および紙幣保持部材２５によって保持され、保持された状態のまま紙葉類収納庫２１の対向側まで搬送される。ローラ２３の側では、紙幣保持部材２５が紙幣２０を開放し、これによって、紙幣２０は、紙葉類収納庫２１に収納されている最上位の紙幣の上に落とされ、積層される。
【００２２】
なお、紙葉類収納庫２１は、紙幣２０を大量に収納しておくような場合、底部に昇降自在なステージが設けられている。これにより、収納枚数が変化したときに、ステージは、昇降制御されて、最上位の紙幣２０の高さ位置があまり変わらないようにしている。
【００２３】
また、図４の例では、搬送されてきた紙幣２０を紙葉類収納庫２１に収納するのに紙幣保持部材２５を有する搬送ベルト２４が一つ設置されている。しかし、この搬送ベルト２４は、必要に応じて複数並べて使用することが可能である。
【００２４】
図５は第１の実施の形態に係る紙葉類集積装置の搬送ベルトと紙幣保持部材との関係を説明する図であって、（Ａ）は搬送ベルトに取り付ける前の紙幣保持部材の形状を説明する図、（Ｂ）は動作時における紙幣保持部材の状態を示す図である。
【００２５】
紙幣保持部材２５は、搬送ベルト２４に固定される部材である基部２５ａと、その基部２５ａから搬送ベルト２４の略搬送方向に延びて紙幣２０を搬送ベルト２４に押し付ける部材である紙幣押圧部２５ｂとを有している。基部２５ａおよび紙幣押圧部２５ｂは、弾性を有する部材によって一体に形成されている。
【００２６】
紙幣保持部材２５は、図５の（Ａ）に示したように、紙幣押圧部２５ｂの自由端２５ｃが基部２５ａの取付け面２５ｄを超えて寸法ａの分だけ搬送ベルト２４に食い込むような形状に形成されている。これにより、紙幣保持部材２５を搬送ベルト２４に固定した場合、図５の（Ｂ）に示したように、紙幣押圧部２５ｂの自由端２５ｃが搬送ベルト２４を取付け側とは反対側に撓ませるように作用し、この撓みが紙幣２０を保持するグリップ力となる。
【００２７】
図６は搬送ベルトに紙幣保持部材を取り付けた状態を紙葉類収納庫の側から見た図であって、（Ａ）は紙葉類保持部材の形状の一例を示し、（Ｂ）は紙葉類保持部材の形状の別の例を示している。
【００２８】
紙幣保持部材２５は、搬送ベルト２４の搬送方向に所定の間隔を置いて互いに重ならないように配置されている。図６の（Ａ）に示す紙幣保持部材２５は、その基部２５ａと隣接する紙幣保持部材２５の自由端２５ｃとが離間された状態で配置されている。一方、図６の（Ｂ）に示す紙幣保持部材２５は、その基部２５ａのある側の中央部分に切欠き部が形成されていて、隣接する紙幣保持部材２５の自由端２５ｃがその切欠き部に嵌り込むような状態に配置されている。このように、搬送ベルト２４の搬送方向に紙幣保持部材２５が配置される間隔を狭めることで、紙幣保持部材２５が搬送ローラ２６，２７から紙幣２０を受け取る搬送ベルト２４上の位置が増えることになる。このことは、搬送ローラ２６，２７およびローラ２２，２３の連携制御が容易になることを意味している。
【００２９】
図７は第１の実施の形態に係る紙葉類集積装置の搬送ベルトと紙幣保持部材との別の関係を説明する図であって、（Ａ）は搬送ベルトに取り付ける前の紙幣保持部材の形状を説明する図、（Ｂ）は動作時における紙幣保持部材の状態を示す図である。
【００３０】
ここでは、図５の場合とは違って、紙幣保持部材２５が部分的に互いに重なった状態で搬送ベルト２４に設けられる場合を示している。紙幣保持部材２５は、搬送ベルト２４に固定される基部２５ａと、その基部２５ａから搬送ベルト２４の搬送方向に延びて紙幣２０を搬送ベルト２４に押し付ける紙幣押圧部２５ｂとを有している。図示の例では、紙幣押圧部２５ｂの自由端２５ｃ近傍の搬送ベルト２４の側には、押圧突起部２５ｅを有している。基部２５ａ、紙幣押圧部２５ｂおよび押圧突起部２５ｅは、弾性を有する部材によって一体に形成されている。
【００３１】
紙幣保持部材２５は、図７の（Ａ）に示したように、押圧突起部２５ｅが紙幣押圧部２５ｂの紙葉類収納庫２１側の面よりも寸法ｂの分だけ搬送ベルト２４の側に突出している形状に形成されている。これにより、紙幣保持部材２５−１およびその１つ後方に隣接する紙幣保持部材２５−２を搬送ベルト２４に固定した場合、図７の（Ｂ）に示したようになる。すなわち、紙幣保持部材２５−１の押圧突起部２５ｅ−１が１つ後方に隣接する紙幣保持部材２５−２の紙幣押圧部２５ｂ−２に乗り上げ、紙幣押圧部２５ｂ−１が紙葉類収納庫２１側に撓むようになる。このとき、紙幣押圧部２５ｂ−１の撓みの反作用により、紙幣保持部材２５−１の押圧突起部２５ｅ−１が１つ後方に隣接する紙幣保持部材２５−２の紙幣押圧部２５ｂ−２における外面の箇所ｃに接するように作用し、これが紙幣２０を保持するグリップ力となる。また、紙幣保持部材２５−１は、１つ後方に隣接する紙幣保持部材２５−２の基部２５ａ−２の端部ｄにおいても紙幣押圧部２５ｂ−１の内面が接するよう作用して紙幣２０を保持しているため、紙幣２０をより強固に固定することが可能になる。
【００３２】
図８は搬送ベルトと紙幣保持部材との結合例を示す部分断面図である。
搬送ベルト２４は、紙幣保持部材２５を固定する面にリブ２４ａが突設されている。このリブ２４ａは、その先端に頭部を有し、搬送ベルト２４を横断するよう幅方向に延びていて、断面がマッシュルームの形状を有している。より、詳細には、リブ２４ａの基部２４ｂ（搬送ベルト２４との接合部）が搬送ベルト２４の搬送方向に狭く、反対側のリブ２４ａの先端部２４ｃは、リブ２４ａの基部２４ｂより搬送ベルト２４の搬送方向に広く形成されている。一方、紙幣保持部材２５は、その基部２５ａにリブ２４ａと同じ断面形状の嵌合溝２５ｆが搬送ベルト２４の幅方向に延びるように形成されている。
【００３３】
紙幣保持部材２５は、その嵌合溝２５ｆを搬送ベルト２４のリブ２４ａに合わせて搬送ベルト２４の幅方向にスライドさせることによって搬送ベルト２４に固定することができる。この嵌合溝２５ｆとリブ２４ａとの嵌合部は、たとえば接着剤を隙間に染み込ませることによってより強固に固定することができる。また、嵌合溝２５ｆの寸法をリブ２４ａの寸法と略同じか少し小さくすることより、嵌め込んだ時に、強固に固定でき、しかも消耗の激しい紙幣保持部材２５を部分的に交換することも可能となる。
【００３４】
図９は紙幣を開放する側の紙幣保持部材による紙幣の整列状態を説明する図である。
紙葉類収納庫２１は、搬送ベルト２４および紙幣保持部材２５によって保持されながら搬送されてきた紙幣２０を開放する側に、開放された紙幣２０を突き当てて揃えるガイド２１ａを有している。搬送ベルト２４の搬送方向がローラ２３によって変えられる領域に紙幣保持部材２５の基部２５ａが到達して紙幣保持部材２５の紙幣押圧部２５ｂが搬送ベルト２４から離れると、紙幣２０は、開放される。この時点では、搬送ローラ２６，２７による搬送力は既に失われているので開放された紙幣２０は、その位置で、集積されている最上位の収納紙幣の上に落下することになる。その後、紙幣２０を保持して搬送してきた紙幣保持部材２５よりも搬送方向下流側の紙幣保持部材２５が搬送ベルト２４に対して起立するようになり、紙幣保持部材２５の紙幣押圧部２５ｂの外面２５ｋが収納紙幣の先端近傍を押し付けながらガイド２１ａの方向へ移動する。その紙幣押圧部２５ｂの移動に連れて最上位の紙幣２０が上から二番目の収納紙幣の上を摺動していき、紙幣２０の前縁部がガイド２１ａに当接して停止するようになる。これにより、紙幣２０は、その前縁部がガイド２１ａに当接した整列状態で紙葉類収納庫２１に積層収納される。
【００３５】
図１０は第２の実施の形態に係る紙葉類集積装置の紙幣保持部材を示す図であって、（Ａ）は搬送ベルトに重ならないように配置される場合の紙幣保持部材を示す図、（Ｂ）は搬送ベルトに重なるように配置される場合の紙幣保持部材を示す図である。なお、この図１０において、図５および図７に示した構成要素と同じまたは均等の構成要素については同じ符号を付してその詳細な説明は省略する。
【００３６】
第２の実施の形態に係る紙葉類集積装置に使用される紙幣保持部材２５は、紙幣２０を保持するグリップ力を弾性体の弾性力によって実現している。すなわち、紙幣保持部材２５は、一端が搬送ベルト２４に固定される部材である硬質材料の基部２５ａと、この基部２５ａの他端に取り付けられる紙幣押圧部２５ｂと、紙幣押圧部２５ｂを搬送ベルト２４の側へ傾動させる弾性体とを有している。基部２５ａおよび紙幣押圧部２５ｂは、好ましくは回動可能に取り付けられており、その軸には、コイルばね２５ｇが設置され、紙幣押圧部２５ｂを搬送ベルト２４の側へ傾動させている。
【００３７】
紙幣押圧部２５ｂの傾動範囲は、搬送ローラ２６，２７から紙幣２０を受け取るときに紙幣押圧部２５ｂと干渉することがないように制限されている。紙幣保持部材２５が搬送ベルト２４上で重ならないように配置される図１０の（Ａ）の場合、紙幣保持部材２５が搬送ベルト２４に固定されていない状態では、紙幣押圧部２５ｂは、破線で示した搬送ベルト２４内の位置までしか傾動できないようにしている。これは、たとえば、紙幣押圧部２５ｂの一部が基部２５ａに当接してそれ以上回動できないようにするストッパ部を備えることによって実現される。また、紙幣保持部材２５が搬送ベルト２４上で重なるように配置される図１０の（Ｂ）の場合、紙幣押圧部２５ｂは、破線で示したように隣接する紙幣保持部材２５の基部２５ａ内の位置までしか傾動できないようにしている。
【００３８】
図１１は第２の実施の形態に係る紙葉類集積装置の紙幣保持部材の変形例を示す図であって、（Ａ）は搬送ベルトに重ならないように配置される場合の紙幣保持部材を示す図、（Ｂ）は搬送ベルトに重なるように配置される場合の紙幣保持部材を示す図である。
【００３９】
第２の実施の形態に係る紙葉類集積装置に使用される紙幣保持部材２５は、紙幣２０を保持するグリップ力を板ばね２５ｈの弾性力によって実現している。すなわち、この紙幣保持部材２５は、一端が搬送ベルト２４に固定される部材である硬質材料の基部２５ａと、この基部２５ａの他端に取り付けられる紙幣押圧部２５ｂと、紙幣押圧部２５ｂを搬送ベルト２４の側へ傾動させる弾性体の板ばね２５ｈとを有している。紙幣保持部材２５は、樹脂または金属の板ばね２５ｈの両端を基部２５ａおよび紙幣押圧部２５ｂに固定することで形成される。たとえば、板ばね２５ｈをインサート品とし、それを基部２５ａおよび紙幣押圧部２５ｂをなす樹脂で包み込んで固化させるインサート成形によって紙幣保持部材２５が形成される。
【００４０】
紙幣保持部材２５が搬送ベルト２４上で重ならないように配置される図１１の（Ａ）の場合、紙幣２０は、板ばね２５ｈのグリップ力によって、紙幣押圧部２５ｂと搬送ベルト２４とで保持される。また、紙幣保持部材２５が搬送ベルト２４上で重なるように配置される図１１の（Ｂ）の場合、紙幣２０は、板ばね２５ｈのグリップ力によって、紙幣押圧部２５ｂと隣接する紙幣保持部材２５の基部２５ａとで保持される。
【００４１】
図１２は第３の実施の形態に係る紙葉類集積装置の紙幣保持部材を示す図である。
第３の実施の形態に係る紙葉類集積装置に使用される紙幣保持部材２５は、紙幣２０を保持するグリップ力を磁気吸着部材による磁気吸引力によって実現している。すなわち、この紙幣保持部材２５は、搬送ベルト２４に固定される基部２５ａと、この基部２５ａから搬送ベルト２４の面に略平行に延出され、基部２５ａを支点として揺動可能な紙幣押圧部２５ｂと、紙幣押圧部２５ｂの先端に固定された磁石２５ｉとを有している。さらに、紙幣保持部材２５にグリップ力を生成させるために、搬送ベルト２４の紙幣保持部材２５が固定されている側とは反対の側に磁性体２５ｊが配置され、紙幣２０を開放する側の端部は、紙幣２０を開放する位置まで延出されている。これにより、紙幣保持部材２５の磁石２５ｉが磁性体２５ｊの存在する領域を走行するとき、磁石２５ｉが磁性体２５ｊに吸引されることで生じるグリップ力によって紙幣２０が保持され、磁性体２５ｊが途切れた位置で紙幣２０が開放される。
【００４２】
なお、図示の例では、紙幣保持部材２５に設置された可動側磁気吸着部材を磁石２５ｉ、搬送ベルト２４の内側に配置された固定側磁気吸着部材を磁性体２５ｊとした。しかし、可動側磁気吸着部材を磁性体、固定側磁気吸着部材を磁石としてもよく、または、可動側および固定側の両方の磁気吸着部材を磁石で構成することもできる。搬送ベルト２４の内側に磁石を配置する場合、その磁石は、搬送ベルト２４に面する両面に異種の磁極が配向されるように着磁されたものが使用される。
【００４３】
上記の実施の形態では、搬送ベルト２４に多数の紙幣保持部材２５を設けたが、この紙幣保持部材２５は、場合によっては１つだけでもよい。この場合は、ローラ２２，２３および搬送ローラ２６，２７は、紙幣２０の搬送状態に応じて互いに同期して駆動する必要がある。
【００４４】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００４５】
１  顧客操作部
２  紙幣投入取出部
３  硬貨投入取出部
４  カード挿入取出部
５  通帳挿入取出部
６  鑑別部
７  一時保留部
８  リジェクト部
９，１０，１１，１２，１３  収納庫
２０  紙幣
２１  紙葉類収納庫
２１ａ  ガイド
２２，２３  ローラ
２４  搬送ベルト
２４ａ  リブ
２５，２５−１，２５−２  紙幣保持部材
２５ａ，２５ａ−２  基部
２５ｂ，２５ｂ−１，２５ｂ−２  紙幣押圧部
２５ｃ  自由端
２５ｄ  取付け面
２５ｅ，２５ｅ−１  押圧突起部
２５ｆ  嵌合溝
２５ｇ  コイルばね
２５ｈ  板ばね
２５ｉ  磁石
２５ｊ  磁性体
２５ｋ  外面
２６，２７  搬送ローラ
【図１】
2013076787.tif 000003
【図２】
2013076787.tif 000004
【図３】
2013076787.tif 000005
【図４】
2013076787.tif 000006
【図５】
2013076787.tif 000007
【図６】
2013076787.tif 000008
【図７】
2013076787.tif 000009
【図８】
2013076787.tif 000010
【図９】
2013076787.tif 000011
【図１０】
2013076787.tif 000012
【図１１】
2013076787.tif 000013
【図１２】
2013076787.tif 000014
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
搬送されてきた紙葉類を搬入して積層状態で収納する紙葉類集積装置において、
前記紙葉類を一枚ずつ受け取って収納する紙葉類収納庫と、
前記紙葉類収納庫の上部にて前記紙葉類を受け取る側に設置された第１ローラおよび前記紙葉類を開放する側に設置された第２ローラに掛け渡された無端状の搬送ベルトと、
一端が前記搬送ベルトの外周面に固定され、前記一端が固定された位置よりも搬送方向下流側にて他端が前記搬送ベルトの側に付勢される紙葉類保持部材と、
を備えていることを特徴とする紙葉類集積装置。
【請求項２】
前記紙葉類保持部材は、前記搬送ベルトの搬送方向に所定の間隔を置いて互いに重ならないように配置され、前記他端と前記搬送ベルトとにより前記紙葉類を保持するようにしたことを特徴とする請求項１記載の紙葉類集積装置。
【請求項３】
前記紙葉類保持部材は、前記一端を平面状にした前記搬送ベルトに固定したときに他端が前記搬送ベルトの前記平面を超えて位置するような形状に形成された弾性体であり、前記弾性体が前記搬送ベルトにより撓むことによって前記紙葉類を保持するようにしたことを特徴とする請求項２記載の紙葉類集積装置。
【請求項４】
前記紙葉類保持部材は、前記搬送ベルトに固定される側が硬質材料で形成された第１部材と、前記第１部材の自由端に取り付けられる第２部材と、前記第２部材を前記搬送ベルトの側へ傾動するように付勢する弾性体とを有し、前記第２部材が前記弾性体の付勢力によって前記紙葉類を保持するようにしたことを特徴とする請求項２記載の紙葉類集積装置。
【請求項５】
前記弾性体は、前記第１部材に前記第２部材を回動自在に取り付けた軸に設けられたコイルばねであることを特徴とする請求項４記載の紙葉類集積装置。
【請求項６】
前記弾性体は、両端が前記第１部材および前記第２部材に固定された板ばねであることを特徴とする請求項４記載の紙葉類集積装置。
【請求項７】
前記紙葉類保持部材は、前記搬送ベルトの面に略平行に延びていて前記搬送ベルトに固定される前記一端を支点に揺動可能な揺動部材と、前記揺動部材の自由端に取り付けられた第１磁気吸着部材とを有し、前記第１磁気吸着部材と前記搬送ベルトの内側の下部搬送域に設置された第２磁気吸着部材との間に生じる吸引力によって前記紙葉類を保持するようにしたことを特徴とする請求項２記載の紙葉類集積装置。
【請求項８】
前記第１磁気吸着部材および前記第２磁気吸着部材は、一方が磁石であり、他方が磁石または磁性体であることを特徴とする請求項７記載の紙葉類集積装置。
【請求項９】
前記紙葉類保持部材は、前記搬送ベルトの搬送方向に所定の間隔を置いて互いに部分的に重なるように配置され、前記他端と搬送方向上流側に隣接する別の紙葉類保持部材とにより前記紙葉類を保持するようにしたことを特徴とする請求項１記載の紙葉類集積装置。
【請求項１０】
前記紙葉類保持部材は、前記一端を平面状にした前記搬送ベルトに固定したときに他端が搬送方向下流側に隣接する前記紙葉類保持部材の前記紙葉類収納庫側の面よりも前記搬送ベルトの側に位置するような形状に形成された弾性体であり、前記他端が隣接する前記紙葉類保持部材に乗り上げて前記弾性体が撓むことにより前記紙葉類を保持するようにしたことを特徴とする請求項９記載の紙葉類集積装置。
【請求項１１】
前記紙葉類保持部材は、前記搬送ベルトに固定される側が硬質材料で形成された第１部材と、前記第１部材の自由端に取り付けられる第２部材と、前記第２部材を前記搬送ベルトの側へ傾動するように付勢する弾性体とを有し、搬送方向下流側に隣接する前記紙葉類保持部材の前記第１部材に乗り上げる前記第２部材が前記弾性体の付勢力により前記紙葉類を保持するようにしたことを特徴とする請求項９記載の紙葉類集積装置。
【請求項１２】
前記弾性体は、前記第１部材に前記第２部材を回動自在に取り付けた軸に設けられたコイルばねであることを特徴とする請求項１１記載の紙葉類集積装置。
【請求項１３】
前記弾性体は、両端が前記第１部材および前記第２部材に固定された板ばねであることを特徴とする請求項１１記載の紙葉類集積装置。
【請求項１４】
前記搬送ベルトの前記紙葉類保持部材を固定する面に突設されたリブと、前記紙葉類保持部材の前記一端の側に前記リブと同じ断面形状に形成された嵌合溝とを嵌合させることで前記搬送ベルトと前記紙葉類保持部材とを固定するようにしたことを特徴とする請求項２または９記載の紙葉類集積装置。
【請求項１５】
前記紙葉類保持部材は、前記搬送ベルトの搬送方向に所定の間隔を置いて互いに部分的に重なる位置に配置されるが、前記搬送ベルトの外周面に固定される一端には切欠き部が形成され、搬送方向上流側に隣接する前記紙葉類保持部材の前記他端が前記切欠き部に嵌り込むような状態に配置されていることを特徴とする請求項１記載の紙葉類集積装置。
【国際調査報告】
2013076787.tif 000015
2013076787.tif 000016
2013076787.tif 000017
2013076787.tif 000018
2013076787.tif 000019
2013076787.tif 000020
2013076787.tif 000021
2013076787.tif 000022